(57)【要約】【課題】外光の輝度が高い場合に種々の表示妨害（ハロー妨害、エッジ妨害、等）が少ない画像を表示できる表示装置を提供する。【解決手段】本発明の表示装置は、発光手段と、前記発光手段から発せられた光を、対象画像データの空間的な高周波成分を抑圧した処理画像データに基づいて透過する第１の透過手段と、前記発光手段から発せられて前記第１の透過手段を透過した光を前記対象画像データに基づいて透過することにより、表示面に画像を表示する第２の透過手段と、外光の輝度を検出する検出手段と、前記外光の輝度が高い場合に前記外光の輝度が低い場合よりも高い抑圧度合いで前記対象画像データの空間的な高周波成分を抑圧することにより、前記処理画像データを生成する生成手段と、を有する。【選択図】図１
2019144311.tif 000002
【特許請求の範囲】
【請求項１】
発光手段と、
前記発光手段から発せられた光を、対象画像データの空間的な高周波成分を抑圧した処理画像データに基づいて透過する第１の透過手段と、
前記発光手段から発せられて前記第１の透過手段を透過した光を前記対象画像データに基づいて透過することにより、表示面に画像を表示する第２の透過手段と、
外光の輝度を検出する検出手段と、
前記外光の輝度が高い場合に前記外光の輝度が低い場合よりも高い抑圧度合いで前記対象画像データの空間的な高周波成分を抑圧することにより、前記処理画像データを生成する生成手段と、
を有することを特徴とする表示装置。
【請求項２】
前記対象画像データの空間的な高周波成分を抑圧する処理は、ローパスフィルタ処理であり、
前記生成手段は、前記ローパスフィルタ処理で使用されるフィルタのサイズと係数の少なくとも一方を変えることで、前記抑圧度合いを変える
ことを特徴とする請求項１に記載の表示装置。
【請求項３】
前記生成手段は、前記対象画像データの明部に隣接する前記対象画像データの暗部の表示輝度が、前記外光が前記表示面で反射した反射光の輝度以上となるように、前記抑圧度合いを変える
ことを特徴とする請求項１または２に記載の表示装置。
【請求項４】
前記外光の輝度が固定であるならば、前記生成手段は、前記発光手段の発光輝度が低い場合に前記発光手段の発光輝度が高い場合よりも高い抑圧度合いで前記対象画像データの空間的な高周波成分を抑圧する
ことを特徴とする請求項１〜３のいずれか１項に記載の表示装置。
【請求項５】
前記対象画像データの明部に隣接する前記対象画像データの暗部の表示輝度が、前記外光が前記表示面で反射した反射光の輝度以上となるように、前記発光手段の発光輝度を高める第１の制御手段、をさらに有する
ことを特徴とする請求項１〜４のいずれか１項に記載の表示装置。
【請求項６】
前記第１の制御手段は、前記抑圧度合いを高めても前記暗部の表示輝度が前記反射光の輝度以上とならない場合に、前記発光手段の発光輝度を高める
ことを特徴とする請求項５に記載の表示装置。
【請求項７】
前記対象画像データの明部に隣接する前記対象画像データの暗部の表示輝度が、前記外光が前記表示面で反射した反射光の輝度以上となるように、前記第２の透過手段の透過率を高める第２の制御手段、をさらに有する
ことを特徴とする請求項１〜６のいずれか１項に記載の表示装置。
【請求項８】
前記第２の制御手段は、前記抑圧度合いを高めても前記暗部の表示輝度が前記反射光の輝度以上とならない場合に、前記第２の透過手段の透過率を高める
ことを特徴とする請求項７に記載の表示装置。
【請求項９】
発光手段と、
前記発光手段から発せられた光を、対象画像データの空間的な高周波成分を抑圧した処理画像データに基づいて透過する第１の透過手段と、
前記発光手段から発せられて前記第１の透過手段を透過した光を前記対象画像データに基づいて透過することにより、表示面に画像を表示する第２の透過手段と、
を有する表示装置の制御方法であって、
外光の輝度を検出する検出ステップと、
前記外光の輝度が高い場合に前記外光の輝度が低い場合よりも高い抑圧度合いで前記対象画像データの空間的な高周波成分を抑圧することにより、前記処理画像データを生成する生成ステップと、
を有することを特徴とする制御方法。
【請求項１０】
前記対象画像データの空間的な高周波成分を抑圧する処理は、ローパスフィルタ処理であり、
前記生成ステップでは、前記ローパスフィルタ処理で使用されるフィルタのサイズと係数の少なくとも一方を変えることで、前記抑圧度合いを変える
ことを特徴とする請求項９に記載の制御方法。
【請求項１１】
前記生成ステップでは、前記対象画像データの明部に隣接する前記対象画像データの暗部の表示輝度が、前記外光が前記表示面で反射した反射光の輝度以上となるように、前記抑圧度合いを変える
ことを特徴とする請求項９または１０に記載の制御方法。
【請求項１２】
前記外光の輝度が固定であるならば、前記生成ステップでは、前記発光手段の発光輝度が低い場合に前記発光手段の発光輝度が高い場合よりも高い抑圧度合いで前記対象画像データの空間的な高周波成分を抑圧する
ことを特徴とする請求項９〜１１のいずれか１項に記載の制御方法。
【請求項１３】
前記対象画像データの明部に隣接する前記対象画像データの暗部の表示輝度が、前記外光が前記表示面で反射した反射光の輝度以上となるように、前記発光手段の発光輝度を高める第１の制御ステップ、をさらに有する
ことを特徴とする請求項９〜１２のいずれか１項に記載の制御方法。
【請求項１４】
前記第１の制御ステップでは、前記抑圧度合いを高めても前記暗部の表示輝度が前記反射光の輝度以上とならない場合に、前記発光手段の発光輝度を高める
ことを特徴とする請求項１３に記載の制御方法。
【請求項１５】
前記対象画像データの明部に隣接する前記対象画像データの暗部の表示輝度が、前記外光が前記表示面で反射した反射光の輝度以上となるように、前記第２の透過手段の透過率を高める第２の制御ステップ、をさらに有する
ことを特徴とする請求項９〜１４のいずれか１項に記載の制御方法。
【請求項１６】
前記第２の制御ステップでは、前記抑圧度合いを高めても前記暗部の表示輝度が前記反射光の輝度以上とならない場合に、前記第２の透過手段の透過率を高める
ことを特徴とする請求項１５に記載の制御方法。
【請求項１７】
請求項９〜１６のいずれか１項に記載の制御方法の各ステップをコンピュータに実行させるためのプログラム。
【請求項１８】
請求項９〜１６のいずれか１項に記載の制御方法の各ステップをコンピュータに実行させるためのプログラムを格納したコンピュータが読み取り可能な記憶媒体。
【発明の詳細な説明】
【技術分野】
【０００１】
本発明は、発光部と２枚の透過パネルとを有する表示装置およびその制御方法に関する。
【背景技術】
【０００２】
近年、液晶表示装置において高いコントラスト表示を実現するための技術として、２枚の液晶パネルを重ね合わせて用いる二重液晶技術が実用化されつつある。各液晶パネルは２枚のガラス板で液晶層を挟んだ構造を有するため、２枚の液晶パネルにそれぞれ対応する２枚の液晶層の間にスペースが生じる。このため、各液晶パネル（各液晶層）を同じ透過率に制御すると、表示面を斜めから見たときに、背面側の液晶パネルに表示された画像が前面側の液晶パネルに表示された画像に重ならず、二重像が見えてしまう。
【０００３】
上記二重像を低減するための技術として、背面側の液晶パネルに表示される画像の空間的な高周波成分を抑圧する技術（空間ローパス処理）がある（特許文献１）。しかしながら、空間ローパス処理を行っても、ハロー妨害、エッジ妨害、等の表示妨害が生じる。ハロー妨害は、明部（高階調部）の周囲が明るくぼやける表示妨害であり、エッジ妨害は、明部と暗部（低階調部）の境界に元の画像データには無い影が発生する表示妨害である。
【０００４】
外光が強い（明るい）環境下で表示面を見る場合には、外光反射輝度（外光が表示面で反射した反射光の輝度）が高いため、暗部が見えにくい。高い外光反射輝度により、ハロー妨害は低減されるが、表示面を斜めから見たときに明部に発生するエッジ妨害は残ってしまう。
【０００５】
二重液晶技術に関する従来技術は、特許文献２，３にも開示されている。特許文献２に開示の技術では、入力画像の内容（テキストやグラフィックのパターン、自然画像、等）に応じて広視野角モードと狭視野角モードの間で表示モードが切り替えられる。狭視野角モードでのみ、背面側の液晶パネルに表示される画像の空間的な高周波成分が抑圧される。特許文献３に開示の技術では、液晶パネルの画素ピッチ、２枚の液晶層の間の距離、等に応じて、空間的な高周波成分の抑圧度合いが決定される。
【先行技術文献】
【特許文献】
【０００６】
【特許文献１】国際公開第２００７／０４０１２７号
【特許文献２】特開２０１７−２６９９２号公報
【特許文献３】特開２００７−２８６４１３号公報
【発明の概要】
【発明が解決しようとする課題】
【０００７】
しかしながら、従来技術（特許文献１〜３に開示の技術など）を用いたとしても、外光の輝度（強度）が高い場合にエッジ妨害などが生じることがある。例えば、特許文献１に開示の技術では、外光の輝度が高い場合に、空間ローパス処理を行うことで、エッジ妨害が生じる。特許文献２に開示の技術では、外光の輝度が高い場合に、入力画像の内容に応じて狭視野角モードが設定されることで、エッジ妨害が生じる。特許文献３に開示の技術では、外光の輝度が高い場合に、液晶パネルの画素ピッチ、２枚の液晶層の間の距離、等に応じて高い抑圧度合いが決定されることで、エッジ妨害が生じる。
【０００８】
本発明は、外光の輝度が高い場合に種々の表示妨害（ハロー妨害、エッジ妨害、等）が
少ない画像を表示できる表示装置を提供することを目的とする。
【課題を解決するための手段】
【０００９】
本発明の第１の態様は、
発光手段と、
前記発光手段から発せられた光を、対象画像データの空間的な高周波成分を抑圧した処理画像データに基づいて透過する第１の透過手段と、
前記発光手段から発せられて前記第１の透過手段を透過した光を前記対象画像データに基づいて透過することにより、表示面に画像を表示する第２の透過手段と、
外光の輝度を検出する検出手段と、
前記外光の輝度が高い場合に前記外光の輝度が低い場合よりも高い抑圧度合いで前記対象画像データの空間的な高周波成分を抑圧することにより、前記処理画像データを生成する生成手段と、
を有することを特徴とする表示装置である。
【００１０】
本発明の第２の態様は、
発光手段と、
前記発光手段から発せられた光を、対象画像データの空間的な高周波成分を抑圧した処理画像データに基づいて透過する第１の透過手段と、
前記発光手段から発せられて前記第１の透過手段を透過した光を前記対象画像データに基づいて透過することにより、表示面に画像を表示する第２の透過手段と、
を有する表示装置の制御方法であって、
外光の輝度を検出する検出ステップと、
前記外光の輝度が高い場合に前記外光の輝度が低い場合よりも高い抑圧度合いで前記対象画像データの空間的な高周波成分を抑圧することにより、前記処理画像データを生成する生成ステップと、
を有することを特徴とする制御方法である。
【００１１】
本発明の第３の態様は、上述した制御方法の各ステップをコンピュータに実行させるためのプログラムである。本発明の第４の態様は、上述した制御方法の各ステップをコンピュータに実行させるためのプログラムを格納したコンピュータが読み取り可能な記憶媒体である。
【発明の効果】
【００１２】
本発明によれば、外光の輝度が高い場合に種々の表示妨害（ハロー妨害、エッジ妨害、等）が少ない画像を表示できる。
【図面の簡単な説明】
【００１３】
【図１】実施例１に係る表示装置の構成例を示すブロック図
【図２】実施例１に係るフィルタ番号の決定方法の一例を示す図
【図３】実施例１に係るフィルタの一例を示す図
【図４】実施例１に係るフィルタの一例を示す図
【図５】実施例１に係るフィルタの一例を示す図
【図６】実施例１に係る各種階調値の一例を示す図
【図７】表示妨害の発生原理の一例を示す図
【図８】エッジ妨害の発生原理の一例を示す図
【図９】エッジ妨害の低減原理（実施例１の効果）の一例を示す図
【図１０】実施例１（変形例１）に係るフィルタの一例を示す図
【図１１】実施例２に係る表示装置の構成例を示すブロック図
【図１２】実施例２に係るフィルタ番号の決定方法の一例を示す図
【発明を実施するための形態】
【００１４】
＜実施例１＞
以下、本発明の実施例１について説明する。本実施例に係る表示装置は、発光部、バックパネル、及び、フロントパネルを有する。以後、発光部から表示面（ユーザが見る面）に向かう方向を前方向として説明を行う。バックパネルは発光部に対して前側（前面側）に設けられた液晶パネルであり、フロントパネルはバックパネルに対して前側に設けられた液晶パネルである。発光部から発せられた光が、バックパネルとフロントパネルをその順番で透過することで、表示面に画像が表示される。
【００１５】
なお、フロントパネルのバックパネルのそれぞれは、透過パネル（透過型の表示パネル）であればよく、液晶パネルでなくてもよい。例えば、フロントパネルとバックパネルの少なくとも一方は、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネルであってもよい。
【００１６】
［実施例１の概要］
本実施例では、バックパネルは、発光部から発せられた光を、対象画像データの空間的な高周波成分を抑圧した処理画像データに基づいて透過する。フロントパネルは、発光部から発せられてバックパネルを透過した光を対象画像データに基づいて透過することにより、表示面に画像を表示する。そして、本実施例に係る表示装置では、表示装置に対する外光の輝度（強度）が高い場合に当該外光の輝度が低い場合よりも高い抑圧度合いで対象画像データの空間的な高周波成分を抑圧することにより、処理画像データが生成される。これにより、外光の輝度が高い場合に種々の表示妨害（ハロー妨害、エッジ妨害、等）が少ない画像を表示できる。
【００１７】
［表示装置の構成］
図１は、本実施例に係る表示装置の構成例を示すブロック図である。図１に示すように、本実施例に係る表示装置は、発光部（バックライトモジュール）１０１、バックパネル１０２、フロントパネル１０３、輝度検出部１０４、ＬＰＦ強度決定部１０５、及び、ＬＰＦ処理部１０６を有する。
【００１８】
発光部１０１は、バックパネル１０２の背面に光を照射する。発光部１０１は、１つ以上の光源（発光素子）を有する。光源として、ＬＥＤ、有機ＥＬ素子、冷陰極管（ＣＣＦＬ）、等を使用できる。
【００１９】
バックパネル１０２は、発光部１０１に対して前側に設けられた液晶パネルである。バックパネル１０２は、発光部１０１から発せられた光を、入力画像データ（対象画像データ）の空間的な高周波成分を抑圧した処理画像データに基づいて（応じて）透過する。入力画像データは、不図示の外部装置（撮像装置、再生装置、記憶装置、等）から表示装置に入力された画像データである。本実施例では、後述する各種処理をシンプルにするために、バックパネル１０２の表示特性がγ値＝１．０のγ特性であるとする。
【００２０】
なお、表示装置は、画像データを記憶する記憶部を有してもよく、記憶部に記録された画像データが、対象画像データとして記憶部から読み出されてもよい。対象画像データは、外部装置から出力される画像データ、記憶部に記録された画像データ、等に限られない。例えば、表示装置は、外部装置から出力される画像データ、記憶部に記録された画像データ、等に所定の処理を施す処理部を有してもよく、所定の処理が施された後の画像データが、対象画像データとして使用されてもよい。所定の処理は、例えば、デコード処理、解像度変換処理、ぼかし処理、エッジ強調処理、輝度変換処理、色変換処理、等である。
【００２１】
フロントパネル１０３は、バックパネル１０２に対して前側に設けられた液晶パネルである。本実施例では、入力画像データがフロントパネル１０３に入力される。そして、フロントパネル１０３は、発光部１０１から発せられてバックパネル１０２を透過した光を入力画像データに基づいて（応じて）透過することにより、表示面に画像を表示する。本実施例では、後述する各種処理をシンプルにするために、フロントパネル１０３の表示特性がγ値＝１．０のγ特性であるとする。
【００２２】
なお、表示装置は、入力画像データからフロント画像データ（フロントパネル１０３用の画像データ）を生成する処理部を有してもよく、フロント画像データがフロントパネル１０３に入力されてもよい。そして、フロントパネル１０３は、発光部１０１から発せられてバックパネル１０２を透過した光をフロント画像データに応じて透過してもよい。
【００２３】
輝度検出部１０４は、表示装置に対する外光の輝度（外光輝度）Ｇを検出する。具体的には、輝度センサによって外光輝度Ｇが検出され、輝度検出部１０４は、外光輝度Ｇを示す外光輝度情報を輝度センサから取得する。外光輝度情報の取得は「外光輝度Ｇの検出」とも言える。輝度センサは、表示装置に固定されていてもよいし、表示装置に対して着脱可能であってもよい。
【００２４】
輝度検出部１０４は、外光輝度Ｇを用いて外光反射輝度Ｔを検出（算出；取得）し、外光反射輝度Ｔを示す反射輝度情報をＬＰＦ強度決定部１０５へ出力する。外光反射輝度Ｔは、外光が表示面で反射した反射光の輝度である。例えば、輝度検出部１０４は、以下の式１を用いて外光反射輝度Ｔを算出する。式１において、「ＬＫ」は表示面の反射率であり、「π」は円周率である。反射率ＬＫは、例えば、バックパネル１０２の特性、フロントパネル１０３の特性、視環境、拡散反射率、鏡面反射率、等を考慮して決定される。鏡面反射率は、入射光が法線を中心に対称な角度で鏡面反射する際の反射率であり、拡散反射率は、入射光が様々な方向に拡散反射する際の反射率である。
Ｔ＝Ｇ×ＬＫ÷π  ・・・（式１）
【００２５】
ＬＰＦ強度決定部１０５は、外光反射輝度Ｔに応じて、入力画像データの空間的な高周波成分を抑圧する抑圧処理（空間ローパス処理）における抑圧度合いを決定する。抑圧処理は「画像をぼかすぼかし処理」とも言えるし、抑圧度合いは「ぼかし度合い」とも言える。抑圧処理は特に限定されないが、本実施例では、抑圧処理がローパスフィルタ処理（ＬＰＦ処理）であり、ＬＰＦ処理で使用されるフィルタの係数（フィルタ係数）を変えることで抑圧度合い（ＬＰＦ処理の強度；ＬＰＦ強度）が変更されるとする。
【００２６】
本実施例では、ＬＰＦ強度決定部１０５は、外光反射輝度ＴとＬＰＦ強度との対応関係に関する関係情報を予め記憶し、関係情報と、輝度検出部１０４によって検出された外光反射輝度Ｔとに基づいて、ＬＰＦ強度を決定する。具体的には、ＬＰＦ強度決定部１０５は、図２に示すテーブルを予め記憶する。図２のテーブルは、外光反射輝度Ｔと、ＬＰＦ処理で使用されるフィルタの番号（識別子；フィルタ番号）との対応関係を示す。ＬＰＦ強度決定部１０５は、輝度検出部１０４によって検出された外光反射輝度Ｔに対応するフィルタ番号を、図２のテーブルから取得し、ＬＰＦ処理部１０６へ出力する。
【００２７】
図２のテーブルでは、外光反射輝度Ｔ＝０にフィルタ番号０が対応付けられており、外光反射輝度Ｔ＝０．５にフィルタ番号１が対応付けられており、外光反射輝度Ｔ＝α（＞０．５）にフィルタ番号β（＞１）が対応付けられている。図３は、フィルタ番号０に対応するフィルタを示し、図４は、フィルタ番号１に対応するフィルタを示し、図５は、フィルタ番号βに対応するフィルタを示す。図４のフィルタを用いたＬＰＦ処理の強度は、
図３のフィルタを用いたＬＰＦ処理の強度よりも高く、図５のフィルタを用いたＬＰＦ処理の強度は、図４のフィルタを用いたＬＰＦ処理の強度よりも高い。このように、本実施例では、外光反射輝度Ｔ（外光輝度Ｇ）が高い場合に、外光反射輝度Ｔ（外光輝度Ｇ）が低い場合よりも高いＬＰＦ強度が決定される。
【００２８】
なお、ＬＰＦ強度決定部１０５は、外光反射輝度Ｔの代わりに外光輝度Ｇを用いてＬＰＦ強度を決定してもよい。フィルタ番号とは異なる情報（フィルタ係数、ＬＰＦ強度そのもの、等）が決定されてもよい。関係情報（外光反射輝度ＴとＬＰＦ強度との対応関係に関する情報、外光輝度ＧとＬＰＦ強度との対応関係に関する情報、等）として、テーブルが使用されてもよいし、関係情報として関数が使用されてもよい。
【００２９】
ＬＰＦ処理部１０６は、ＬＰＦ強度決定部１０５で決定された抑圧度合いで入力画像データの空間的な高周波成分を抑圧することにより、処理画像データを生成する。具体的には、ＬＰＦ処理部１０６は、ＬＰＦ強度決定部１０５から出力されたフィルタ番号のフィルタを用いて、入力画像データにＬＰＦ処理を施す。その結果、処理画像データが生成される。ＬＰＦ処理部１０６は、処理画像データをバックパネル１０２へ出力する。
【００３０】
ＬＰＦ処理では、以下の式２を用いて、入力画像データの階調値Ｖ（ｘ，ｙ）が処理画像データの階調値Ｗ（ｘ，ｙ）に変換される。階調値Ｖ（ｘ，ｙ），Ｗ（ｘ，ｙ）は、水平位置（画像の水平方向（左右方向）における位置）ｘ且つ垂直位置（画像の垂直方向（上下方向）における位置）ｙでの階調値である。式２において、「Ｖ（ｘ＋ｉ，ｙ＋ｊ）」は、水平位置ｘ＋ｉ且つ垂直位置ｙ＋ｊでの入力階調値（入力画像データの階調値）であり、「Ｋ（ｉ，ｊ）」は、水平位置ｉ且つ垂直位置ｊでのフィルタ係数である。ＬＰＦ処理で使用されるフィルタのサイズ（フィルタサイズ）は特に限定されないが、式２は、フィルタサイズが水平方向３画素×垂直方向３画素の計９画素分のサイズである場合の式である。
【数１】
2019144311.tif 000003
【００３１】
なお、表示装置は、入力画像データからバック画像データ（バックパネル１０２用の画像データ）を生成する処理部を有してよく、ＬＰＦ処理部１０６は、バック画像データにＬＰＦ処理を施すことにより処理画像データを生成してもよい。
【００３２】
［表示妨害が発生する原理］
図６（Ａ）〜６（Ｄ），７（Ａ），７（Ｂ）を用いて、表示妨害（ハロー妨害とエッジ妨害）が発生する原理について説明する。以下では、説明をシンプルにするために、画像の水平方向に着目した説明を行うが、画像の他の方向（垂直方向など）についても、水平方向と同様の説明が成り立つ。
【００３３】
図６（Ａ）は、入力画像データによって表された画像の一例を示す。図６（Ａ）の画像では、階調値０．０の黒背景上に、階調値０．５の白線が描かれている。白線は、垂直方向に沿っており、水平方向の中央に描かれている。図６（Ｂ）は、図６（Ａ）の破線６０１上における入力階調値（入力画像データの階調値）の分布を示す。図６（Ｃ）は、図６（Ａ）の破線６０１上における入力階調値に対応するフロント階調値（フロントパネル１０３に入力される階調値）の分布の一例を示す。本実施例では、フロント階調値は入力階調値と等しい。図６（Ｄ）は、図６（Ａ）の破線６０１上における入力階調値に対応する
バック階調値（バックパネル１０２に入力される階調値；処理画像データの階調値）の分布の一例を示す。図６（Ｄ）では、白線と黒背景の間の空間周波数が抑圧されている。図６（Ｄ）の分布は、図３のフィルタを用いた場合の分布である。そのため、図６（Ｄ）では、白線に隣接する位置でのバック階調値が０．１（＝０．５×０．２＋０．０×１＋０．０×０．２）となっている。
【００３４】
図７（Ａ）は、図６（Ａ）の破線６０１に対応する部分での表示装置の断面を示す。図７（Ａ）では、表示面を斜め方向（表示面の法線方向に対して傾いた方向）から見る位置に、ユーザの目７０４がある。図７（Ａ）では、外光は無い。以後、バックパネル１０２とフロントパネル１０３のそれぞれについて、階調値０．５の部分を「白部」と記載する。白部の右側に隣接する階調値０．１の部分を「右側グレー部」と記載し、白部の左側に隣接する階調値０．１の部分を「左側グレー部」と記載する。白部の右側に隣接する階調値０．０の部分を「右側黒部」と記載し、白部の左側に隣接する階調値０．０の部分を「左側黒部」と記載する。
【００３５】
図７（Ａ）において、光７０５は、バックパネル１０２の右側グレー部の右端を透過し、フロントパネル１０３の右側黒部を透過し、目７０４に入射する光である。光７０６は、バックパネル１０２の右側グレー部を透過し、フロントパネル１０３の右側黒部と白部の境界を透過し、目７０４に入射する光である。光７０７は、バックパネル１０２の右側グレー部と白部の境界を透過し、フロントパネル１０３の白部を透過し、目７０４に入射する光である。光７０８は、バックパネル１０２の白部を透過し、フロントパネル１０３の白部と左側黒部の境界を透過し、目７０４に入射する光である。光７０９は、バックパネル１０２の白部と左側グレー部の境界を透過し、フロントパネル１０３の左側黒部を透過し、目７０４に入射する光である。光７１０は、バックパネル１０２の左側グレー部の左端を透過し、フロントパネル１０３の左側黒部を透過し、目７０４に入射する光である。
【００３６】
図７（Ｂ）は、図６（Ａ）の破線６０１に対応する部分での表示画像（表示面に表示された画像）の見えを示す。図７（Ｂ）の見えは、図７（Ａ）の目７０４による見えである。図７（Ｂ）では、表示面が、７つの領域７１１〜７１７に分けられている。
【００３７】
領域７１１は、表示面（フロントパネル１０３）の右端から、図７（Ａ）の光７０５がフロントパネル１０３を透過する位置までの領域であり、図６（Ａ）の黒背景に対応する。領域７１１については、バック階調値０．０の透過率でバックパネル１０２を透過し、フロント階調値０．０の透過率でフロントパネル１０３を透過した光が目７０４に入射する。そのため、ユーザは、領域７１１を黒領域として知覚する。
【００３８】
領域７１２は、図７（Ａ）の光７０５がフロントパネル１０３を透過する位置から、図７（Ａ）の光７０６がフロントパネル１０３を透過する位置までの領域であり、図６（Ａ）の黒背景に対応する。領域７１２については、バック階調値０．０ではなくバック階調値０．１の透過率でバックパネル１０２を透過し、フロント階調値０．０の透過率でフロントパネル１０３を透過した光が目７０４に入射する。そのため、領域７１２は黒背景に対応するが、ユーザは、領域７１２を黒よりも明るい領域として知覚する。即ち、領域７１２でハロー妨害が知覚される。
【００３９】
領域７１３は、図７（Ａ）の光７０６がフロントパネル１０３を透過する位置から、図７（Ａ）の光７０７がフロントパネル１０３を透過する位置までの領域であり、図６（Ａ）の白線に対応する。領域７１３については、バック階調値０．５ではなくバック階調値０．１の透過率でバックパネル１０２を透過し、フロント階調値０．５の透過率でフロントパネル１０３を透過した光が目７０４に入射する。そのため、領域７１３は白線に対応
するが、ユーザは、領域７１３を白よりも暗い領域として知覚する。即ち、領域７１３でエッジ妨害が知覚される。
【００４０】
領域７１４は、図７（Ａ）の光７０７がフロントパネル１０３を透過する位置から、図７（Ａ）の光７０８がフロントパネル１０３を透過する位置までの領域であり、図６（Ａ）の白線に対応する。領域７１４については、バック階調値０．５の透過率でバックパネル１０２を透過し、フロント階調値０．５の透過率でフロントパネル１０３を透過した光が目７０４に入射する。そのため、ユーザは、領域７１４を白領域として知覚する。
【００４１】
領域７１５は、図７（Ａ）の光７０８がフロントパネル１０３を透過する位置から、図７（Ａ）の光７０９がフロントパネル１０３を透過する位置までの領域であり、図６（Ａ）の黒背景に対応する。領域７１５については、バック階調値０．０ではなくバック階調値０．５の透過率でバックパネル１０２を透過し、フロント階調値０．０の透過率でフロントパネル１０３を透過した光が目７０４に入射する。そのため、領域７１５は黒背景に対応するが、ユーザは、領域７１５を黒よりも明るい領域として知覚する。即ち、領域７１５でハロー妨害が知覚される。
【００４２】
領域７１６は、図７（Ａ）の光７０９がフロントパネル１０３を透過する位置から、図７（Ａ）の光７１０がフロントパネル１０３を透過する位置までの領域であり、図６（Ａ）の黒背景に対応する。領域７１６については、バック階調値０．０ではなくバック階調値０．１の透過率でバックパネル１０２を透過し、フロント階調値０．０の透過率でフロントパネル１０３を透過した光が目７０４に入射する。そのため、領域７１６は黒背景に対応するが、ユーザは、領域７１６を黒よりも明るい領域として知覚する。即ち、領域７１６でハロー妨害が知覚される。
【００４３】
領域７１７は、図７（Ａ）の光７１０がフロントパネル１０３を透過する位置から、表示面（フロントパネル１０３）の左端までの領域であり、図６（Ａ）の黒背景に対応する。領域７１７については、バック階調値０．０の透過率でバックパネル１０２を透過し、フロント階調値０．０の透過率でフロントパネル１０３を透過した光が目７０４に入射する。そのため、ユーザは、領域７１７を黒領域として知覚する。
【００４４】
このように、外光が無い場合には、二重像を低減するためにバックパネル１０２に表示される画像の空間的な高周波成分を抑圧することで、ハロー妨害とエッジ妨害が発生する。
【００４５】
［エッジ妨害の発生原理］
次に、外光輝度Ｇ（外光反射輝度Ｔ）が高い環境でもエッジ妨害が発生する原理について説明する。ここでは、ＬＰＦ処理で使用されるフィルタは図３のフィルタから変更されず、図６（Ｂ）〜６（Ｄ）と同じ階調値（入力階調値、フロント階調値、及び、バック階調値）が使用されるとする。
【００４６】
図８（Ａ）は、図６（Ａ）の破線６０１に対応する部分での表示装置の断面を示す。図８（Ａ）では、外光がある。図８（Ａ）の光７０５〜７１０は、図７（Ａ）の光７０５〜７１０と同じである。図８（Ａ）では、外光は、表示面で反射することで反射光８０１となり、反射光８０１は目７０４に入射する。
【００４７】
図８（Ｂ）は、図６（Ａ）の破線６０１に対応する部分での表示画像の見えを示す。図８（Ｂ）の見えは、図８（Ａ）の目７０４による見えである。図８（Ｂ）では、表示面が、７つの領域８１１〜８１７に分けられている。
【００４８】
領域８１１は、図７（Ｂ）の領域７１１に対応する。しかし、目７０４に反射光８０１が入射するため、ユーザは、領域８１１を、黒領域ではなく、反射光８０１の輝度（光量）の分だけ明るい黒浮き領域として知覚する。
【００４９】
領域８１２は、図７（Ｂ）の領域７１２に対応する。しかし、目７０４に反射光８０１が入射するため、ユーザは、領域８１２を、ハロー妨害として知覚せず（知覚しにくく）、反射光８０１の輝度の分だけ明るい黒浮き領域として知覚する。反射光８０１の輝度は、例えば、領域８１２の輝度以上（バックパネル１０２とフロントパネル１０３を透過して領域８１２から目７０４に入射する光の輝度以上）である。
【００５０】
領域８１３は、図７（Ｂ）の領域７１３に対応する。領域８１３については、領域７１３と同様に、バック階調値０．５ではなくバック階調値０．１の透過率でバックパネル１０２を透過し、フロント階調値０．５の透過率でフロントパネル１０３を透過した光が目７０４に入射する。そのため、領域８１３は図６（Ａ）の白線に対応するが、ユーザは、領域８１３を白（具体的には領域８１４）よりも暗い領域として知覚する。即ち、領域８１３でエッジ妨害が知覚される。
【００５１】
領域８１４は、図７（Ｂ）の領域７１４に対応する。領域８１４については、領域７１４と同様に、バック階調値０．５の透過率でバックパネル１０２を透過し、フロント階調値０．５の透過率でフロントパネル１０３を透過した光が目７０４に入射する。そのため、ユーザは、領域８１４を白領域（例えば、領域７１４よりも明るい白領域）として知覚する。
【００５２】
領域８１５は、図７（Ｂ）の領域７１５に対応する。しかし、目７０４に反射光８０１が入射するため、ユーザは、領域８１５を、ハロー妨害として知覚せず（知覚しにくく）、反射光８０１の輝度の分だけ明るい黒浮き領域として知覚する。反射光８０１の輝度は、例えば、領域８１５の輝度以上（バックパネル１０２とフロントパネル１０３を透過して領域８１５から目７０４に入射する光の輝度以上）である。
【００５３】
領域８１６は、図７（Ｂ）の領域７１６に対応する。しかし、目７０４に反射光８０１が入射するため、ユーザは、領域８１６を、ハロー妨害として知覚せず（知覚しにくく）、反射光８０１の輝度の分だけ明るい黒浮き領域として知覚する。反射光８０１の輝度は、例えば、領域８１６の輝度以上（バックパネル１０２とフロントパネル１０３を透過して領域８１６から目７０４に入射する光の輝度以上）である。
【００５４】
領域８１７は、図７（Ｂ）の領域７１７に対応する。しかし、目７０４に反射光８０１が入射するため、ユーザは、領域８１７を、黒領域ではなく、反射光８０１の輝度の分だけ明るい黒浮き領域として知覚する。
【００５５】
このように、外光がある場合には、二重像を低減するためにバックパネル１０２に表示される画像の空間的な高周波成分を抑圧しても、外光（具体的には反射光）によってハロー妨害が低減される。しかしながら、エッジ妨害は残ってしまう。
【００５６】
［エッジ妨害が低減する原理］
次に、本実施例においてエッジ妨害が低減される原理について説明する。上述したように、本実施例では、外光輝度Ｇ（外光反射輝度Ｔ）が高い場合に、強度が高いＬＰＦ処理によって処理画像データ（バック階調値）が生成される。ここでは、入力階調値が図６（Ｂ）の入力階調値と同じであり、フロント階調値が図６（Ｃ）のフロント階調値と同じであるとする。しかし、外光輝度Ｇ（外光反射輝度Ｔ）が高いために、ＬＰＦ処理で使用されるフィルタは図３のフィルタから変更され、バック階調値が図６（Ｄ）のバック階調値
から変更されるとする。具体的には、図６（Ａ）の白線に隣接する位置でのバック階調値が０．１ではなく０．５であるとする。
【００５７】
図９（Ａ）は、図６（Ａ）の破線６０１に対応する部分での表示装置の断面を示す。図９（Ａ）では、外光がある。図９（Ａ）の光９０５〜９１０は、図７（Ａ）の光７０５〜９１０にそれぞれ対応する。光９０５は、バックパネル１０２の白部の右端を透過し、フロントパネル１０３の右側黒部を透過し、目７０４に入射する光である。光９０６は、バックパネル１０２の白部を透過し、フロントパネル１０３の右側黒部と白部の境界を透過し、目７０４に入射する光である。光９０７は、バックパネル１０２の白部を透過し、フロントパネル１０３の白部を透過し、目７０４に入射する光である。光９０８は、バックパネル１０２の白部を透過し、フロントパネル１０３の白部と左側黒部の境界を透過し、目７０４に入射する光である。光９０９は、バックパネル１０２の白部を透過し、フロントパネル１０３の左側黒部を透過し、目７０４に入射する光である。光９１０は、バックパネル１０２の白部の左端を透過し、フロントパネル１０３の左側黒部を透過し、目７０４に入射する光である。
【００５８】
図９（Ｂ）は、図６（Ａ）の破線６０１に対応する部分での表示画像の見えを示す。図９（Ｂ）の見えは、図９（Ａ）の目７０４による見えである。図９（Ｂ）では、表示面が、７つの領域９１１〜９１７に分けられている。
【００５９】
領域９１１は、図７（Ｂ）の領域７１１に対応する。具体的には、領域９１１は、表示面の右端から、図９（Ａ）の光９０５がフロントパネル１０３を透過する位置までの領域であり、図６（Ａ）の黒背景に対応する。領域９１１については、領域７１１と同様に、バック階調値０．０の透過率でバックパネル１０２を透過し、フロント階調値０．０の透過率でフロントパネル１０３を透過した光が目７０４に入射する。しかし、目７０４に反射光８０１が入射するため、ユーザは、領域９１１を、黒領域ではなく、反射光８０１の輝度の分だけ明るい黒浮き領域として知覚する。
【００６０】
領域９１２は、図７（Ｂ）の領域７１２に対応する。具体的には、領域９１２は、図９（Ａ）の光９０５がフロントパネル１０３を透過する位置から、図９（Ａ）の光９０６がフロントパネル１０３を透過する位置までの領域であり、図６（Ａ）の黒背景に対応する。領域９１２については、バック階調値０．０ではなくバック階調値０．５の透過率でバックパネル１０２を透過し、フロント階調値０．０の透過率でフロントパネル１０３を透過した光が目７０４に入射する。しかし、目７０４に反射光８０１が入射するため、ユーザは、領域９１２を、ハロー妨害として知覚せず（知覚しにくく）、反射光８０１の輝度の分だけ明るい黒浮き領域として知覚する。反射光８０１の輝度は、例えば、領域９１２の輝度以上（バックパネル１０２とフロントパネル１０３を透過して領域９１２から目７０４に入射する光の輝度以上）である。
【００６１】
領域９１３は、図７（Ｂ）の領域７１３に対応する。具体的には、領域９１３は、図９（Ａ）の光９０６がフロントパネル１０３を透過する位置から、図９（Ａ）の光９０７がフロントパネル１０３を透過する位置までの領域であり、図６（Ａ）の白線に対応する。領域９１３については、バック階調値０．５の透過率でバックパネル１０２を透過し、フロント階調値０．５の透過率でフロントパネル１０３を透過した光が目７０４に入射する。そのため、ユーザは、領域９１３を、エッジ妨害として知覚せず（知覚しにくく）、白領域として知覚する。
【００６２】
領域９１４は、図７（Ｂ）の領域７１４に対応する。具体的には、領域９１４は、図９（Ａ）の光９０７がフロントパネル１０３を透過する位置から、図９（Ａ）の光９０８がフロントパネル１０３を透過する位置までの領域であり、図６（Ａ）の白線に対応する。
領域９１４については、領域７１４と同様に、バック階調値０．５の透過率でバックパネル１０２を透過し、フロント階調値０．５の透過率でフロントパネル１０３を透過した光が目７０４に入射する。そのため、ユーザは、領域９１４を白領域として知覚する。
【００６３】
領域９１５は、図７（Ｂ）の領域７１５に対応する。具体的には、領域９１５は、図９（Ａ）の光９０８がフロントパネル１０３を透過する位置から、図９（Ａ）の光９０９がフロントパネル１０３を透過する位置までの領域であり、図６（Ａ）の黒背景に対応する。領域９１５については、領域７１５と同様に、バック階調値０．０ではなくバック階調値０．５の透過率でバックパネル１０２を透過し、フロント階調値０．０の透過率でフロントパネル１０３を透過した光が目７０４に入射する。しかし、目７０４に反射光８０１が入射するため、ユーザは、領域９１５を、ハロー妨害として知覚せず（知覚しにくく）、反射光８０１の輝度の分だけ明るい黒浮き領域として知覚する。反射光８０１の輝度は、例えば、領域９１５の輝度以上（バックパネル１０２とフロントパネル１０３を透過して領域９１５から目７０４に入射する光の輝度以上）である。
【００６４】
領域９１６は、図７（Ｂ）の領域９１６に対応する。具体的には、領域９１６は、図９（Ａ）の光９０９がフロントパネル１０３を透過する位置から、図９（Ａ）の光９１０がフロントパネル１０３を透過する位置までの領域であり、図６（Ａ）の黒背景に対応する。領域９１６については、バック階調値０．０ではなくバック階調値０．５の透過率でバックパネル１０２を透過し、フロント階調値０．０の透過率でフロントパネル１０３を透過した光が目７０４に入射する。しかし、目７０４に反射光８０１が入射するため、ユーザは、領域９１６を、ハロー妨害として知覚せず（知覚しにくく）、反射光８０１の輝度の分だけ明るい黒浮き領域として知覚する。反射光８０１の輝度は、例えば、領域９１６の輝度以上（バックパネル１０２とフロントパネル１０３を透過して領域９１６から目７０４に入射する光の輝度以上）である。
【００６５】
領域９１７は、図７（Ｂ）の領域７１７に対応する。具体的には、領域９１７は、図９（Ａ）の光９１０がフロントパネル１０３を透過する位置から、表示面の左端までの領域であり、図６（Ａ）の黒背景に対応する。領域９１７については、領域７１７と同様に、バック階調値０．０の透過率でバックパネル１０２を透過し、フロント階調値０．０の透過率でフロントパネル１０３を透過した光が目７０４に入射する。しかし、目７０４に反射光８０１が入射するため、ユーザは、領域９１７を、黒領域ではなく、反射光８０１の輝度の分だけ明るい黒浮き領域として知覚する。
【００６６】
このように、外光輝度Ｇ（外光反射輝度Ｔ）が高い場合に、ＬＰＦ強度を高めることにより、ユーザはハロー妨害とエッジ妨害が少ない表示画像を知覚できる。具体的には、外光（反射光）によってハロー妨害が低減され、高いＬＰＦ強度によってエッジ妨害が低減される。
【００６７】
［まとめ］
以上述べたように、本実施例によれば、外光輝度が高い場合に外光輝度が低い場合よりも高い抑圧度合いで対象画像データの空間的な高周波成分を抑圧することにより、処理画像データが生成される。これにより、外光輝度が高い場合に種々の表示妨害（ハロー妨害、エッジ妨害、等）が少ない画像を表示できる。
【００６８】
＜変形例１＞
実施例１ではＬＰＦ処理のフィルタ係数を変えることでＬＰＦ強度（空間的な高周波成分の抑圧度合い）を変える例を説明したが、これに限られない。例えば、ＬＰＦ処理のフィルタサイズを変えることでＬＰＦ強度を変えてもよい。具体的には、外光反射輝度Ｔ（外光輝度Ｇ）が高い場合に、ＬＰＦ処理で使用されるフィルタが、図３のフィルタから図
１０のフィルタに変更されてもよい。図３のフィルタサイズは、水平方向３画素×垂直方向３画素の計９画素分のサイズであるが、図１０のフィルタサイズは、水平方向５画素×垂直方向５画素の計２５画素分のサイズである。図１０のフィルタを用いたＬＰＦ処理の強度は、図３のフィルタを用いたＬＰＦ処理の強度よりも高い。なお、フィルタ係数とフィルタサイズの一方のみを変えてもよいし、フィルタ係数とフィルタサイズの両方を変えてもよい。
【００６９】
＜変形例２＞
実施例１では、ＬＰＦ強度（空間的な高周波成分の抑圧度合い）の具体的な値について説明しなかった。しかし、対象画像データの明部に隣接する対象画像データの暗部の表示輝度（表示面の輝度；表示画像の輝度）が、輝度検出部１０４によって検出された外光反射輝度Ｔ以上となるように、ＬＰＦ強度を変えることが好ましい。これにより、エッジ妨害の知覚を、より確実に防ぐことができる。対象画像データの明部は、例えば、対象画像データの階調値が明部閾値以上の画像領域である。対象画像データの暗部は、例えば、対象画像データの階調値が暗部閾値（＜明部閾値）以下の画像領域である。
【００７０】
ここで、対象画像データの明部に隣接する対象画像データの暗部の表示輝度を「輝度ＫＫ」と記載する。そして、バックパネル１０２の透過率が上限である場合の黒の表示輝度を「輝度ＡＫ」と記載する。輝度ＫＫの上限は輝度ＡＫであるため、ＬＰＦ強度は、以下の式３を満たすように決定されることが好ましい。
Ｔ≦ＫＫ≦ＡＫ  ・・・（式３）
【００７１】
輝度ＫＫが外光反射輝度Ｔと一致するようにＬＰＦ強度を決定すれば、エッジ妨害の低減と、表示コントラスト（表示画像のコントラスト（階調性））の向上とを両立できる。表示コントラストの向上は、「表示画像における黒を沈めること」とも言える。表示コントラストの向上よりもエッジ妨害の低減が重要である場合には、輝度ＫＫが外光反射輝度Ｔよりも高くなるようにＬＰＦ強度を決定すればよい。輝度ＫＫが高いほど大きい低下量でエッジ妨害が低減される。エッジ妨害の低減よりも表示コントラストの向上が重要である場合には、輝度ＫＫが外光反射輝度Ｔよりも低くなるようにＬＰＦ強度を決定すればよい。輝度ＫＫが低いほど大きい増加量で表示コントラストが向上される。輝度ＫＫと外光反射輝度Ｔの関係は特に限定されない。例えば、輝度ＫＫと外光反射輝度Ｔの関係は、ユーザによって指定されてもよいし、画質モードに応じて決定されてもよい。
【００７２】
＜実施例２＞
以下、本発明の実施例２について説明する。実施例１では、外光輝度Ｇ（外光反射輝度Ｔ）に応じてＬＰＦ強度（空間的な高周波成分の抑圧度合い）を決定する例を説明した。本実施例では、発光部１０１の発光輝度をさらに考慮してＬＰＦ強度を決定する例を説明する。なお、以下では、実施例１と異なる点（構成や処理）について詳しく説明し、実施例１と同じ点についての説明は省略する。
【００７３】
図１１は、本実施例に係る表示装置の構成例を示すブロック図である。図１１に示すように、本実施例に係る表示装置の構成は、実施例１に係る表示装置の構成（図１）と略等しい。本実施例に係る表示装置は、実施例１のＬＰＦ強度決定部１０５の代わりに、ＬＰＦ強度決定部２０１を有する。
【００７４】
ＬＰＦ強度決定部２０１は、実施例１のＬＰＦ強度決定部１０５と同様に、外光反射輝度Ｔを示す反射輝度情報を輝度検出部１０４から取得する。さらに、ＬＰＦ強度決定部２０１は、発光部１０１の発光輝度ＢＬを示す発光輝度情報を取得する。そして、ＬＰＦ強
度決定部２０１は、外光反射輝度Ｔと発光輝度ＢＬに応じてＬＰＦ強度を決定する。
【００７５】
例えば、表示装置は、ユーザ操作（表示輝度を指定するユーザ操作など）、表示装置の動作モード、表示装置の使用環境、対象画像データの種類、対象画像データの輝度、等に応じて発光部１０１の発光輝度を制御する制御部を有する。そして、ＬＰＦ強度決定部２０１は、制御部から発光輝度情報を取得する。なお、発光輝度情報の取得方法は特に限定されない。例えば、表示装置は、発光部１０１の発光輝度を検出する輝度センサを有してもよい。そして、ＬＰＦ強度決定部２０１は、輝度センサから発光輝度情報を取得してもよい。
【００７６】
本実施例では、ＬＰＦ強度決定部２０１は、外光反射輝度Ｔ、発光輝度ＢＬ、及び、ＬＰＦ強度の対応関係に関する関係情報を予め記憶する。そして、ＬＰＦ強度決定部２０１は、関係情報、反射輝度情報によって示された外光反射輝度Ｔ、及び、発光輝度情報によって示された発光輝度ＢＬに基づいて、ＬＰＦ強度を決定する。具体的には、ＬＰＦ強度決定部２０１は、図１２に示すテーブルを予め記憶する。図１２のテーブルは、外光反射輝度Ｔ、発光輝度ＢＬ、及び、フィルタ番号の対応関係を示す。ＬＰＦ強度決定部２０１は、反射輝度情報によって示された外光反射輝度Ｔと、発光輝度情報によって示された発光輝度ＢＬとの組み合わせに対応するフィルタ番号を、図１２のテーブルから取得し、ＬＰＦ処理部１０６へ出力する。
【００７７】
本実施例では、フィルタ番号が大きいほどＬＰＦ強度が高い。図１２において、β１＞１、β２＞３、β３＞５、及び、β３＞β２＞β１である。図１２のテーブルによれば、発光輝度ＢＬが固定であるならば、外光反射輝度Ｔ（外光輝度Ｇ）が高いほどフィルタ番号が大きい。つまり、発光輝度ＢＬが固定であるならば、外光反射輝度Ｔ（外光輝度Ｇ）が高いほどＬＰＦ強度が高い。そして、外光反射輝度Ｔ（外光輝度Ｇ）が固定であるならば、発光輝度ＢＬが低いほどフィルタ番号が大きい。つまり、外光反射輝度Ｔ（外光輝度Ｇ）が固定であるならば、発光輝度ＢＬが低いほどＬＰＦ強度が高い。
【００７８】
ＬＰＦ強度が固定であるならば、発光輝度ＢＬの低下により表示輝度が低下する。上述したように、本実施例では、外光反射輝度Ｔが固定であるならば、発光輝度ＢＬが低い場合に発光輝度ＢＬが高い場合よりも高いＬＰＦ強度が決定される。これにより、発光輝度ＢＬが低い場合に発光輝度ＢＬが高い場合よりも大きい増加量で対象画像データの暗部（黒など）の表示輝度を上げることができ、エッジ妨害をより高精度に低減できる。
【００７９】
以上述べたように、本実施例によれば、発光部の発光輝度をさらに考慮した抑圧度合いで対象画像データの空間的な高周波成分を抑圧することにより、処理画像データが生成される。具体的には、外光輝度が固定であるならば、発光部の発光輝度が低い場合に発光部の発光輝度が高い場合よりも高い抑圧度合いで対象画像データの空間的な高周波成分が抑圧される。これにより、エッジ妨害がより少ない画像を表示できる。
【００８０】
＜変形例３＞
実施例１，２では、エッジ妨害などを低減するためにＬＰＦ強度（空間的な高周波成分の抑圧度合い）を変える例を説明した。しかし、発光部１０１の発光輝度が低い場合には、ＬＰＦ強度を高めても、対象画像データの暗部（対象画像データの明部に隣接する対象画像データの暗部）の表示輝度が外光反射輝度Ｔ以上にならないことがある。この場合には、エッジ妨害は低減するが、表示輝度が外光反射輝度Ｔ以下の画像領域の視認性が低下する。そのため、この場合には、対象画像データの暗部の表示輝度が外光反射輝度Ｔ以上となるように、表示装置の制御部（不図示）がフロントパネル１０３の透過率を高めることが好ましい。対象画像データの暗部の表示輝度が外光反射輝度Ｔ以上となるように、制御部が、発光部１０１の発光輝度を高めてもよい。フロントパネル１０３の透過率と発光
部１０１の発光輝度との一方が高められてもよいし、フロントパネル１０３の透過率と発光部１０１の発光輝度との両方が高められてもよい。これにより、エッジ妨害の低減と、表示コントラスト（表示画像のコントラスト（階調性））の向上とをより確実に両立できる。
【００８１】
なお、ＬＰＦ強度を高めても、対象画像データの暗部の表示輝度が外光反射輝度Ｔ以上にならない場合に限らず、フロントパネル１０３の透過率の増加、発光部１０１の発光輝度の増加、等が行われてもよい。
【００８２】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００８３】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００８４】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８５】
１０１：発光部  １０２：バックパネル  １０３：フロントパネル
１０４：輝度検出部  １０５，２０１：ＬＰＦ強度決定部  １０６：ＬＰＦ処理部
【図１】
2019144311.tif 000004
【図２】
2019144311.tif 000005
【図３】
2019144311.tif 000006
【図４】
2019144311.tif 000007
【図５】
2019144311.tif 000008
【図６】
2019144311.tif 000009
【図７】
2019144311.tif 000010
【図８】
2019144311.tif 000011
【図９】
2019144311.tif 000012
【図１０】
2019144311.tif 000013
【図１１】
2019144311.tif 000014
【図１２】
2019144311.tif 000015